(57)【特許請求の範囲】
【請求項１】
ケース本体の前面に形成された開口部と、前記開口部を開閉する方向へ摺動するスライドドアとが設けられたスライドドア装置において、
前記ケース本体には前記開閉方向に延びる摺動溝が形成され、前記スライドドアには、前記摺動溝内に入りその摺動溝の第１の内壁面に対面する第１の対向面と前記摺動溝の第２の内壁面に対面する第２の対向面とを有する嵌入部と、前記嵌入部の摺動方向に向く端部から摺動方向に延びる弾性腕と、弾性腕の先部に設けられた摺動部とが一体に形成され、
前記摺動部は、前記弾性腕の先部で前記第１の対向面よりも前記第１の内壁面側へ突出しており、
前記摺動部が前記弾性腕の弾性力によって前記第１の内壁面に加圧され、前記嵌入部の前記第２の対向面が前記第２の内壁面に加圧された状態で、前記摺動部と前記第２の対向面とが、それぞれの前記内壁面を摺動して前記摺動溝内で移動可能とされたことを特徴とするスライドドア装置。
【請求項２】
前記スライドドアには、前記弾性腕および前記摺動部が対を成して設けられており、対を成す前記弾性腕が互いに逆向きに延びている請求項１に記載のスライドドア装置。
【請求項３】
前記ケース本体には、前記開口部の上辺に沿って上向きに開口する前記摺動溝と、前記開口部の下辺に沿って下向に開口する摺動溝とが互いに並行に設けられ、
前記スライドドアには、その上方に位置して下向に形成された前記嵌入部と、その下方に位置して上向きに形成された摺動爪とが設けられ、
前記嵌入部とこの嵌入部と一体に形成された前記弾性腕および摺動部が上向きの前記摺動溝内に挿入され、前記摺動爪が下向の前記摺動溝内にそれぞれ摺動自在に挿入されている請求項１または２記載のスライドドア装置。
【発明の詳細な説明】
【０００１】
【産業上の利用分野】
本発明は、車載用ＣＤチェンジャなどの各種機器の本体ケースに形成された開口部を開閉するスライドドア装置に係り、特にケース本体の前面にてスライドドアが滑らかに摺動し且つスライドドアのがたつきを防止したスライドドア装置に関する。
【０００２】
【従来の技術】
図４は、従来の車載用ＣＤチェンジャに設けられているスライドドア装置の斜視図、図５は図４に示すスライドドアを内面側から示すＶ方向矢視の斜視図である。
図４に示す車載用のＣＤチェンジャのケース本体１は、筐体部１ｂとその前方のパネル部（エスカッション）１ａとから構成されている。ＣＤの選択機構やＣＤを再生駆動する駆動機構などは筐体部１ｂに内蔵されている。
【０００３】
前記パネル部１ａには、ディスクマガジンを挿入する開口部２が形成されている。そしてこの開口部２を開閉するスライドドア３が、パネル部１ａの前面に摺動自在に取り付けられている。パネル部１ａには開口部２の上部および下部の縁に沿って延びる摺動溝４ａ、４ｂが形成されている。摺動溝４ａ、４ｂはＺ方向が深さ方向であり、Ｙ方向がスライドドア３を案内する方向である。
【０００４】
図５に示すスライドドア３の内面には、前記摺動溝４ａ、４ｂに嵌入する摺動爪６ａ、６ｂ、７ａ、７ｂがそれぞれＺ方向に延びて設けられている。また、内面のＹ方向の両縁部には、Ｚ方向に延びるリブ１２ｃ、１２ｄが形成されている。さらに、スライドドア３の−Ｙ方向端部での中央部に突条８が形成されている。この突条８に対向する前記パネル部１ａの左端には、凸部５が設けられている。
上記ケース本体１のパネル部１ａとスライドドア３は、共にＡＢＳなどの樹脂により射出成形されたものであり、開口部２、摺動溝４ａ、４ｂ、凸部５および摺動爪６ａ、６ｂ、７ａ、７ｂ、突条８は、パネル部１ａとスライドドア３に一体に成形されている。
【０００５】
このスライドドア装置では、スライドドア３の下部に設けられた摺動爪７ａ、７ｂが、前記パネル部１ａの下部に形成された摺動溝４ｂに嵌入し、スライドドア３の上部に設けられた摺動爪６ａ、６ｂが、パネル部１ａの上部に形成された摺動溝４ａに嵌着される。スライドドア３は、摺動溝４ａ、４ｂに案内されてＹ方向へ摺動し、この摺動動作により開口部２が開閉される。
スライドドア３を閉じた（図４中−Ｙ方向に移動させた）とき、パネル部１ａ側の凸部５が、前記リブ１２ｃと突条８との間に嵌合し、スライドドア３は±Ｙ方向へ動かないように軽ロックされる。
【０００６】
【発明が解決しようとする課題】
図４に示すスライドドア装置では、スライドドア３にてＺ方向に延びる摺動爪６ａ、６ｂ、７ａ、７ｂが、それぞれパネル部１ａの摺動溝４ａ、４ｂに嵌入して、スライドドア３が開閉方向へ摺動自在となっている。したがって摺動爪６ａないし７ｂと摺動溝４ａ、４ｂとの間にはＸ方向への若干の隙間が必要になる。そのため、スライドドア３にＸ方向へのがたつきが生じ、車体振動などによりスライドドア３のがたつき音が発生しやすい。
【０００７】
また、スライドドア３はその前面にて−Ｙ方向の端部側に形成された操作突部３ａに手を掛けて開閉させることになるが、摺動爪６ａないし７ｂと摺動溝４ａ、４ｂとの間に隙間が形成されているため、摺動爪６ａないし７ｂと摺動溝４ａ、４ｂの内壁との加圧力の分布が均一にならず片当たり摺動状態となる。そのため、スライドドア３の摺動が滑らかにならず、ぎこちない動きとなり、手に引っ掛かり抵抗が作用するなどして開閉操作感触が良好なものではない。また、スライドドア３の開閉を繰返すと、前記片当たり摺動状態により、摺動溝４ａと４ｂの内壁に引っ掻き傷が形成される。この引っ掻き傷は、パネル部１ａの上方などから目視できることになり、ケース本体１の外観を損ねることになる。
【０００８】
本発明では、上記従来の課題を解決するものであり、スライドドアとケース本体との案内部でのがたつきを防止し、スライドドアの開閉摺動が滑らかに行われて開閉操作感触が良好になるとともに、ケース本体に傷が生じにくくしたスライドドア装置を提供することを目的としている。
【０００９】
【課題を解決するための手段】
本発明は、ケース本体の前面に形成された開口部と、前記開口部を開閉する方向へ摺動するスライドドアとが設けられたスライドドア装置において、
前記ケース本体には前記開閉方向に延びる摺動溝が形成され、前記スライドドアには、前記摺動溝内に入りその摺動溝の第１の内壁面に対面する第１の対向面と前記摺動溝の第２の内壁面に対面する第２の対向面とを有する嵌入部と、前記嵌入部の摺動方向に向く端部から摺動方向に延びる弾性腕と、弾性腕の先部に設けられた摺動部とが一体に形成され、
前記摺動部は、前記弾性腕の先部で前記第１の対向面よりも前記第１の内壁面側へ突出しており、
前記摺動部が前記弾性腕の弾性力によって前記第１の内壁面に加圧され、前記嵌入部の前記第２の対向面が前記第２の内壁面に加圧された状態で、前記摺動部と前記第２の対向面とが、それぞれの前記内壁面を摺動して前記摺動溝内で移動可能とされたことを特徴とするものである。
【００１０】
また本発明は、前記スライドドアには、前記弾性腕および前記摺動部が対を成して設けられており、対を成す前記弾性腕が互いに逆向きに延びているものが好ましい。
【００１１】
さらに本発明は、前記ケース本体には、前記開口部の上辺に沿って上向きに開口する前記摺動溝と、前記開口部の下辺に沿って下向に開口する摺動溝とが互いに並行に設けられ、
前記スライドドアには、その上方に位置して下向に形成された前記嵌入部と、その下方に位置して上向きに形成された摺動爪とが設けられ、
前記嵌入部とこの嵌入部と一体に形成された前記弾性腕および摺動部が上向きの前記摺動溝内に挿入され、前記摺動爪が下向の前記摺動溝内にそれぞれ摺動自在に挿入されているものが好ましい。
【００１２】
また、摺動溝の内壁を摺動する摺動部は、前記内壁方向へ突形状に形成された摺動突起であることが好ましく、さらには摺動突起を球面または円筒面とし、摺動突起と、摺動溝の内壁とが最小面積にて摺動する構造とすることが好ましい。
【００１３】
【作用】
本発明では、ケース本体に形成された摺動溝によりスライドドアが案内されて、スライドドアが開口部を開閉する方向へ摺動する。そしてスライドドアには、弾性部と摺動部とが設けられ、摺動部が弾性部に加圧されて摺動溝の内壁に圧接し摺動するものとなっている。この圧接摺動では、スライドドアのケース本体に対するがたつきが生じなくなる。よってスライドドアのがたつき音が生じない。また、スライドドアの摺動部が摺動溝の内壁に加圧されてがたつきのない状態で嵌合している。よってスライドドアに摺動力を与えたときに、スライドドアがケース本体に対して滑らかに摺動することになる。
【００１４】
また、スライドドアに、ケース本体の摺動溝内に入る嵌入部と、この嵌入部から摺動方向に延びる弾性腕と、弾性腕の先部に設けられた摺動部とを一体に形成したものでは、弾性腕が弾性的に曲げ変形された状態で摺動溝内に嵌入される。この弾性腕の変形弾性力により、摺動部が摺動溝の一方の内壁に加圧され、嵌入部が摺動溝の他方の内壁に加圧され、これにより、スライドドアがケース本体に対してがたつくことなく、摺動できるものとなる。
【００１５】
また、摺動溝の内壁を摺動する摺動部を、前記内壁方向へ突形状に形成された摺動突起とし、好ましくは摺動突起を球面または円筒面とすると、摺動突起と、摺動溝の内壁とが最小面積にて摺動するものとなり、摺動抵抗が低減される。
【００１６】
さらに本発明では、スライドドアが摺動溝内にて片当たり状態にならず、スライドドアの各摺動部と摺動溝の内壁とが比較的均一な加圧状態となって摺動するため、摺動溝の内壁などに無理な引っ掻きによる傷が生じることもない。
【００１７】
【実施例】
以下、本発明の実施例を図面を参照して説明する。
図１（Ａ）は、本発明のスライドドア装置でのスライドドアを内面側から示す斜視図、図１（Ｂ）は図１（Ａ）のＢ部拡大図、図２（Ａ）は図１（Ａ）のＩＩ−ＩＩ線の縦断面図、図２（Ｂ）は図２（Ａ）のＢ部拡大図、図３は図１（Ａ）のＩＩＩ−ＩＩＩ線の拡大平断面図であり、同図（Ａ）は組立前の状態、同図（Ｂ）は組立後の状態を示すものである。
この実施例は、車載用ＣＤチャンジャに関するものである。ケース本体１は、図４に示したものと同じ構造であり、図２（Ａ）にはケース本体１が断面にて現れている。ケース本体１は、筐体部１ｂとその前面のパネル部１ａとから構成されている。ＣＤの選択機構や、ＣＤの駆動機構などは、筐体部１ｂに内蔵されている。
【００１８】
パネル部１ａは、ＡＢＳなどの樹脂製であり、このパネル部１ａの前面には、ディスクマガジンを挿入するために開口部２が形成されている。また、パネル部１ａには、開口部２の上下位置に摺動溝４ａ、４ｂが形成されている。この摺動溝４ａ、４ｂは、深さ方向がＺ方向であり、スライドドアの案内方向がＹ方向である。
スライドドア１１は、その全体形状が図５に示す従来のものとほぼ同じであり、このスライドドア１１はＡＢＳなどの樹脂により形成されている。
【００１９】
図１（Ａ）に示すように、スライドドア１１の内面側では、図示下側（−Ｚ側）の縁部に、一対の摺動爪７ａ、７ｂが一体に形成されている。この摺動爪７ａ、７ｂは、図５に示した従来例のスライドドア３での摺動爪７ａ、７ｂと同じものである。図１（Ａ）に示すスライドドア１１の摺動爪７ａ、７ｂは、パネル部１ａの下部の摺動溝４ｂの開口幅寸法Ｗよりもやや薄いものとなっている。よって、摺動爪７ａ、７ｂが摺動溝４ｂに挿入された状態で、摺動爪７ａ、７ｂは摺動溝４ｂ内にてＸ方向へきわめて微小ながたつきを有している。
【００２０】
また、スライドドア１１のＹ方向両端部には、Ｚ方向に延びるリブ１２ｃ、１２ｄが形成され、リブ１２ｃよりも中央よりには突条８が形成されている。スライドドア１１により開口部２が閉じられたとき、パネル部１ａに形成された凸部５（図４参照）が、リブ１２ｃと突条８との間に嵌合し、スライドドア１１が軽ロックされる。
【００２１】
スライドドア１１の内面での上側（＋Ｚ側）の縁部には、一対の嵌入部１２ａと１２ｂが形成されている。そして嵌入部１２ａには摺動方向（＋Ｙ方向）へ延びる弾性腕１３ａが一体に形成され、嵌入部１２ｂには逆の摺動方向（−Ｙ方向）に延びる弾性腕１３ｂが一体に形成されており、両弾性腕１３ａと１３ｂの先部に摺動部となる摺動突起１４ａと１４ｂが一体に形成されている。各摺動突起１４ａと１４ｂは−Ｘ方向の端面が球面または円筒面であり、摺動溝４ａの内壁に対する接触面積が小さくなるように設定されている。なお、嵌入部１２ａ、１２ｂと弾性腕１３ａ、１３ｂと摺動突起１４ａ、１４ｂは、全てＡＢＳなどの樹脂によりスライドドア１１と一体に射出成形されているものである。
【００２２】
図３（Ａ）は、摺動溝４ａ内に嵌入していないときの、嵌入部１２ａ、弾性腕１３ａおよび摺動突起１４ａを示しており、図２（Ｂ）は摺動溝４ａ内に挿入された状態を示している。また図３（Ｂ）も摺動溝４ａ内に挿入された状態を示しており、図３（Ｂ）では、摺動溝４ａが想像線で示されている。
前記嵌入部１２ａと１２ｂのＸ方向の幅寸法Ｗｄは、前記摺動爪７ａと７ｂの幅寸法と同じである。摺動溝４ａの内壁（イ）と（ロ）の対向間隔（摺動溝４ａの開口幅寸法）をＷとしたとき、前記幅寸法Ｗｄは、対向間隔Ｗよりも短くなっている。
【００２３】
図３（Ａ）に示すように、パネル部４ａに装着されていない状態でのスライドドア１１では、摺動突起１４ａ、１４ｂの内壁（イ）に対面する端部が、嵌入部１２ａ、１２ｂの側面よりもδ１だけ−Ｘ方向へ飛び出ている。図３（Ｂ）に示すように、嵌入部１２ａ、１２ｂが摺動溝４ａ内に嵌入されると、摺動突起１４ａ、１４ｂの端部が摺動溝４ａの内壁（イ）に押されて、弾性腕１３ａ、１３ｂが＋Ｘ方向へ弾性変形する。その結果、摺動突起１４ａと１４ｂが、摺動溝４ａの内壁（イ）に弾性的な押圧力ｆにより加圧され、またその反作用で、嵌入部１２ａと１２ｂが、摺動溝４ａの内壁（ロ）に弾性的な力Ｆｘにて加圧される。
【００２４】
したがって、スライドドア１１はＸ方向へのがたつきが生じなくなる。また、スライドドア１１がＹ方向へ開閉されるとき、それぞれの摺動突起１４ａと１４ｂが球面または円筒面にて摺動溝４ａの内壁（イ）に最小面積により摺接し、また嵌入部１２ａと１２ｂも、摺動溝４ａの内壁（ロ）にほぼ一定の力Ｆｘにて弾圧されながら摺動する。このように、摺動突起１４ａ、１４ｂと嵌入部１２ａ、１２ｂとが、摺動溝４ａの両内壁に安定して加圧されて摺動するため、スライドドア１１は滑らかな安定した摺動動作を行なうようになる。
【００２５】
また、摺動突起１４ａ、１４ｂと嵌入部１２ａ、１２ｂが、摺動溝４ａの内壁に一定の力で当たって摺動するため、これらの摺動部の加圧力が均一で片当たり状態が生じなくなる。したがって、摺動溝４ａの内壁（イ）（ロ）に引っ掻き傷が生じにくい。
【００２６】
さらに、この実施例では、摺動方向に間隔を開けて配置された一対の嵌入部１２ａと１２ｂから延びる弾性腕１３ａと１３ｂが、摺動方向に対して互いに逆の方向（１３ａは＋Ｙ方向、１３ｂは−Ｙ方向）に延びて、それぞれの先部に摺動突起１４ａと１４ｂが形成されている。このように弾性腕１３ａと１３ｂが摺動方向に対して違いに逆方向に延びていることにより、スライドドア１１が＋Ｙ方向へ摺動するときと−Ｙ方向へ摺動するときとで、摺動条件が同じになる。よってスライドドア１１が＋Ｙ方向へ摺動するときと−Ｙ方向へ摺動するときの双方において、同じ条件で共に安定して摺動するものとなる。
【００２７】
また、この実施例では、スライドドア１１の＋Ｚ側の縁部に弾性腕１３、１３ｂと摺動突起１４ａ、１４ｂが設けられ、−Ｙ側の縁部は、摺動爪７ａ、７ｂとなって、この摺動爪７ａと７ｂでは弾性的な押圧力が発揮されないものとなっている。しかし、スライドドアの上側すなわち支持側（ドアの重量を受ける側）において弾性腕１３ａ、１３ｂおよび摺動突起１４ａ、１４ｂが設けられて、図３（Ｂ）に示すような弾性摺動が実現され、図示下側のぶら下がり側すなわち重量を受けない支持側において摺動爪７ａ、７ｂとされているため、図示上下にそれぞれ弾性腕１３ａ、１３ｂおよび摺動突起１４ａ、１４ｂを設けなくても、Ｙ方向への安定した摺動を実現できる。ただし、スライドドア１１の図示上下に弾性腕１３ａ、１３ｂおよび摺動突起１４ａ、１４ｂを共に設けてもよい。
【００２８】
しかし、実施例のように弾性腕１３ａ、１３ｂおよび摺動突起１４ａ、１４ｂを上側にのみ設ければ安定した摺動が可能となるため、図示上方にのみ弾性腕と摺動部を設けることにより、スライドドア１１の形状を簡単にできる。
また、弾性腕１３ａ、１３ｂを金属の板ばねにし、この金属の板ばねの先部をへの字状やＵ字状にしてこの部分を摺動部としてもよい。または板ばねの先部に樹脂により摺動突起１４ａと１４ｂを固着してもよい。
【００２９】
【発明の効果】
以上のように本発明によるスライドドア装置では、スライドドアのがたつきを防止でき、またスライドドアの摺動動作が滑らかで安定したものとなり、開閉操作感触を良好にできる。
【００３０】
また、スライドドアが安定して滑らかに摺動するため、摺動溝内などに引っ掻き傷が付くこともなくなる。
【図面の簡単な説明】
【図１】（Ａ）は本発明のスライドドア装置に用いられるスライドドアを内面側から見た斜視図、（Ｂ）は（Ａ）でのＢ部の拡大図、
【図２】  （Ａ）は図１（Ａ）のＩＩ−ＩＩ線の縦断面図、（Ｂ）は（Ａ）でのＢ部拡大図、
【図３】図１（Ａ）のＩＩＩ−ＩＩＩ線の平断面図であり、（Ａ）は組立前を、（Ｂ）は組立てられた状態を示す、
【図４】従来のＣＤチャンジャのケース本体に設けられたスライドドア装置を示す斜視図、
【図５】図４のスライドドアをＶ方向から見た斜視図、
【符号の説明】
１  ケース本体
１ａ  パネル部
１ｂ  筐体部
２  開口部
４ａ，４ｂ  摺動溝
５  凸部
７ａ，７ｂ  摺動爪
１１  スライドドア
１２ａ，１２ｂ  嵌入部
１３ａ，１３ｂ  弾性腕
１４ａ，１４ｂ  摺動突起
【図１】
0003666930.tif 000002
【図２】
0003666930.tif 000003
【図３】
0003666930.tif 000004
【図４】
0003666930.tif 000005
【図５】
0003666930.tif 000006